【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
画像が記録されるプレートが巻き付けられて装着され且つ回転制御されるドラムと、このドラムに対峙して前記プレートに前記画像を記録するためのレーザユニットから成る光記録ヘッドを備える画像記録装置であって、
前記レーザユニットが出力するレーザ光を拡散する光拡散手段を前記レーザユニットと対峙する位置へ移動可能に設けると共に、前記光拡散手段が前記光記録ヘッドと対峙する位置に移動したときに、前記レーザ光のモニタ光を受光してこの受光量に応じてレーザパワーを調整する制御手段を有することを特徴とする画像記録装置。
【請求項２】
画像が記録されるプレートが巻き付けられて装着され且つ回転制御されるドラムと、このドラムに対峙して前記プレートに前記画像を記録するためのレーザユニットから成る光記録ヘッドを備える画像記録装置であって、
前記ドラムの表面の、前記プレートが巻き付けられないブランキング部分に、前記ドラムの軸方向に沿って設けられ、前記レーザユニットが出力するレーザ光を拡散する光拡散手段と、
前記ドラムの回転によって前記光拡散手段と前記光記録ヘッドとが対峙したときに、前記レーザ光のモニタ光を受光してこの受光量に応じてレーザパワーを調整する制御手段とを有することを特徴とする画像記録装置。
【請求項３】
前記光記録ヘッドが複数の前記レーザユニットから構成されるラインヘッドであることを特徴とする請求項１又は請求項２に記載の画像記録装置。
【請求項４】
前記制御手段は、前記ドラムの回転位置を検出する回転位置検出手段が出力する位置信号を得て前記光拡散手段の位置を検出し、この位置検出に合わせて、前記レーザユニットを作動させるレーザドライブ電流値を変化させて、前記レーザパワーを所定の値にするオートパワーコントロール処理を実行することを特徴とする請求項２に記載の画像記録装置。
【請求項５】
前記オートパワーコントロール処理の終了後に、前記レーザユニットを駆動するレーザドライバーを作動させて、前記光記録ヘッドにより前記プレートに画像を記録させることを特徴とする請求項４に記載の画像記録装置。
【請求項６】
前記オートパワーコントロール処理は、前記レーザユニットが出力するレーザ光の一部を受光して、この受光量が所定の値となるよう前記レーザドライブ電流値の補正を行い、このレーザドライブ電流値に基づいて前記レーザ光を出力させる処理であり、前記所定の値は時間の経過に従って徐々に大きくなる傾き補正を行うことを特徴とする請求項４又は請求項５に記載の画像記録装置。
【請求項７】
前記光拡散手段は光拡散部材を有しており、この光拡散部材を、前記光記録ヘッドと前記ドラムとの間に前記レーザ光の進行方向に対して直交するようにして介在させるようにしたことを特徴とする請求項１に記載の画像記録装置。
【請求項８】
前記制御手段は、前記ドラムの複数回転毎に前記レーザパワーを調整することを特徴とする請求項２に記載の画像記録装置。
【手続補正２】
【補正対象書類名】明細書
【補正対象項目名】００１７
【補正方法】変更
【補正の内容】
【００１７】
請求項２に記載の本発明に係る画像記録装置は、画像が記録されるプレートが巻き付けられて装着され且つ回転制御されるドラムと、このドラムに対峙して前記プレートに前記画像を記録するためのレーザユニットから成る光記録ヘッドを備える画像記録装置であって、前記ドラムの表面の、前記プレートが巻き付けられないブランキング部分に、前記ドラムの軸方向に沿って設けられ、前記レーザユニットが出力するレーザ光を拡散する光拡散手段と、前記ドラムの回転によって前記光拡散手段と前記光記録ヘッドとが対峙したときに、前記レーザ光のモニタ光を受光してこの受光量に応じてレーザパワーを調整する制御手段とを有するものである。
【手続補正３】
【補正対象書類名】明細書
【補正対象項目名】００１８
【補正方法】変更
【補正の内容】
【００１８】
前記構成により、レーザユニットが出力するレーザ光を光拡散手段により拡散させることができる。このために、レーザ光のドラムでの反射光による干渉がなく、制御手段は、必要とするレーザ光のモニタ光を受光することができて、例えば、オートパワーコントロール処理を確実に実行でき、正確にレーザパワーを調整することができる。
【手続補正４】
【補正対象書類名】明細書
【補正対象項目名】００１９
【補正方法】変更
【補正の内容】
【００１９】
請求項３に記載の本発明に係る画像記録装置は、請求項１又は請求項２に記載の画像記録装置において、光記録ヘッドが複数のレーザユニットから構成されるラインヘッドである。
【手続補正５】
【補正対象書類名】明細書
【補正対象項目名】００２０
【補正方法】変更
【補正の内容】
【００２０】
前記構成により、光記録ヘッドが複数のレーザユニットから構成されるラインヘッドであっても、レーザ光のドラムでの反射光による干渉がなく、制御手段は、必要とするレーザ光のモニタ光を受光することができて、例えばオートパワーコントロール処理を確実に実行でき、正確にレーザパワーを調整することができる。
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】変更
【補正の内容】
【００２３】
請求項４に記載の本発明に係る画像記録装置は、請求項２に記載の画像記録装置において、制御手段は、ドラムの回転位置を検出する回転位置検出手段が出力する位置信号を得て光拡散手段の位置を検出し、この位置検出に合わせて、レーザユニットを作動させるレーザドライブ電流値を変化させて、レーザパワーを所定の値にするオートパワーコントロール処理を実行するようにしたものである。
【手続補正９】
【補正対象書類名】明細書
【補正対象項目名】００２４
【補正方法】変更
【補正の内容】
【００２４】
前記構成により、制御手段は、ドラムの回転位置を検出する回転位置検出手段が出力する位置信号を得て光拡散手段の位置を検出し、この位置検出に合わせて、レーザユニットを作動させるレーザドライブ電流値を変化させて、環境温度などによって起こるレーザパワーの低下を抑えて当該レーザパワーを所定の値にするオートパワーコントロール処理を実行してレーザパワーを調整することができる。
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】変更
【補正の内容】
【００２７】
請求項５に記載の本発明に係る画像記録装置は、請求項４に記載の画像記録装置において、前記オートパワーコントロール処理の終了後に、レーザユニットを駆動するレーザドライバーを作動させて、光記録ヘッドによりプレートに画像を記録させるものである。
【手続補正１３】
【補正対象書類名】明細書
【補正対象項目名】００２８
【補正方法】変更
【補正の内容】
【００２８】
前記構成により、オートパワーコントロール処理の終了後に、レーザユニットを駆動するレーザドライバーを作動させて、光記録ヘッドによりプレートに画像を記録させることができる。
【手続補正１４】
【補正対象書類名】明細書
【補正対象項目名】００２９
【補正方法】変更
【補正の内容】
【００２９】
請求項６に記載の本発明に係る画像記録装置は、請求項４又は請求項５に記載の画像記録装置において、オートパワーコントロール処理は、レーザユニットが出力するレーザ光の一部を受光して、この受光量が所定の値となるようレーザドライブ電流値の補正を行い、このレーザドライブ電流値に基づいてレーザ光を出力させる処理であり、所定の値は時間の経過に従って徐々に大きくなるよう傾き補正を行う。
【手続補正１５】
【補正対象書類名】明細書
【補正対象項目名】００３１
【補正方法】変更
【補正の内容】
【００３１】
請求項７に記載の本発明に係る画像記録装置は、請求項１に記載の画像記録装置において、光拡散手段は光拡散部材を有しており、この光拡散部材を、光記録ヘッドとドラムとの間にレーザ光の進行方向に対して直交するようにして介在させるようにしたものである。
【手続補正１６】
【補正対象書類名】明細書
【補正対象項目名】００３３
【補正方法】変更
【補正の内容】
【００３３】
請求項８に記載の本発明に係る画像記録装置は、請求項２に記載の画像記録装置において、制御手段は、ドラムの複数回転毎にレーザパワーを調整するものである。
【手続補正１７】
【補正対象書類名】明細書
【補正対象項目名】００６３
【補正方法】変更
【補正の内容】
【００６３】
上記した画像記録制御手段２０のシステムコントロール部２４には、図１５に示す制御手段である制御回路３０が設けてある。この制御回路３０は、検出部３１と制御部３２で構成してある。
【手続補正１８】
【補正対象書類名】明細書
【補正対象項目名】００６５
【補正方法】変更
【補正の内容】
【００６５】
また、図１５に示すように、制御部３２はマイクロコンピュータであって、入力装置４０と出力装置４１と記憶装置４２と演算装置４３と制御装置４４とを備えている。そして、入力装置４０は、検出部３１が検出したアナログ信号である検出ＰＤ値を入力して検出デジタルＰＤ値（ＰＤ＿ａ）に変換するＡＤコンバータ３５を有しており、出力装置４１は、デジタル信号である新ＬＤ値（新レーザドライブ値（ＬＤ＿ｂ））をアナログ信号に変換してレーザドライブ電流値（ＬＤ＿ｓｅｔ）をレーザドライバー３７に出力するＤＡコンバータ３６を有している。
【手続補正１９】
【補正対象書類名】明細書
【補正対象項目名】００７１
【補正方法】変更
【補正の内容】
【００７１】
次に、記録濃度と検出デジタルＰＤ値（ＰＤ＿ａ）とレーザドライブ電流値（ＬＤ＿ｓｅｔ）との関係を、図１７及び図１８により説明する。
【手続補正２０】
【補正対象書類名】明細書
【補正対象項目名】００７２
【補正方法】変更
【補正の内容】
【００７２】
図１７において、点線は目標となる目標ＰＤ値（ＰＤ＿ｔａｒｇｅｔ）を示しており、フォトディテクタ１４が検出したＰＤ信号をアンプ３３およびＡＤコンバータ３５を介した検出デジタルＰＤ値（ＰＤ＿ａ）が目標ＰＤ値（ＰＤ＿ｔａｒｇｅｔ）になるように制御するのであるが、レーザドライブ電流値（ＬＤ＿ｓｅｔ）の補正を行っても、光記録ヘッドＨを副走査方向Ｙに移動させて記録を行っていくとレーザユニット２自身の発熱などによる環境温度の上昇によって、記録濃度が低下してしまう。
【手続補正２１】
【補正対象書類名】明細書
【補正対象項目名】００７４
【補正方法】変更
【補正の内容】
【００７４】
これに対して、図１８に示すように、予め設定した目標ＰＤ値（ＰＤ＿ｔａｒｇｅｔ）に、この目標ＰＤ値（ＰＤ＿ｔａｒｇｅｔ）が環境温度に応じて時間の経過に従って徐々に大きくなるように変化する傾き補正を行い、検出デジタルＰＤ値（ＰＤ＿ａ）に基づく新ＬＤ値を設定して、この新ＬＤ値に基づきレーザドライブ電流値（ＬＤ＿ｓｅｔ）の補正を行い、検出デジタルＰＤ値（ＰＤ＿ａ）を、時間の経過とともに上昇する環境温度の傾き補正を加えた目標ＰＤ値（ＰＤ＿ｔａｒｇｅｔ）に追従させ記録濃度を一定に保持するようにしてある。
【手続補正２２】
【補正対象書類名】明細書
【補正対象項目名】００７５
【補正方法】変更
【補正の内容】
【００７５】
次に、図１６に示すタイムチャートにより、ドラム５のレーザユニット２に対する位置がブランキング部分５Ａであることを示すドラムエンコーダＺ相信号（ＥｎｃｏｄｅＺ）と、ＡＰＣ用レーザ信号（ＡＰＣ  Ｅｎａｂｌｅ）と、記録用レーザ信号ＰＩＸと、レーザ信号（ＬＤ  ＯＮ）と、フォトディテレクタ値であるＰＤ信号と、ＡＰＣ（オートパワーコントロール）処理実施区間を説明する。
【手続補正２３】
【補正対象書類名】明細書
【補正対象項目名】００７７
【補正方法】変更
【補正の内容】
【００７７】
この光拡散部５Ｂの位置が検出されると、この光拡散部５Ｂに合わせてＡＰＣ用レーザ信号（ＡＰＣ  Ｅｎａｂｌｅ）が出力され、ＡＰＣ処理が制御部３２であるマイクロコンピュータで実行される。ＡＰＣ処理が終了すると、記録用レーザ信号ＰＩＸが出力されることで記録を行う。図１５に示すように、レーザ信号（ＬＤ  ＯＮ）はレーザドライバー３７に入力されており、レーザドライバー３７の駆動を司る。このレーザドライバー３７が駆動される期間にレーザユニット２が作動（発光）することで、フォトディテクタ１４が出力する検出ＰＤ信号が出力される。
【手続補正２４】
【補正対象書類名】明細書
【補正対象項目名】００７８
【補正方法】変更
【補正の内容】
【００７８】
次に、記録フローを、図１９を参照して説明する。
【手続補正２５】
【補正対象書類名】明細書
【補正対象項目名】００８１
【補正方法】変更
【補正の内容】
【００８１】
次に、ＡＰＣ処理のフローを、図２０を参照して説明する。なお、図中、目標ＰＤ値（ＰＤ＿ｔａｒｇｅｔ）は制御部３２の記憶装置（ＲＡＭ）４２にセット（記憶）されている値であり、セットは事前に調整時に実施される。ＬＤ＿ａは前回のレーザドライブ値であり、割合βは目標ＰＤ値と検出デジタルＰＤ値との差分に対するＬＤ値の補正の割合であって、事前に調整時に求めておく。ＬＤ＿Ｅｒｒｏｒは過電流エラーの閾値である。
【手続補正２６】
【補正対象書類名】明細書
【補正対象項目名】００８９
【補正方法】変更
【補正の内容】
【００８９】
したがって、図１８に示すように、予め設定した目標ＰＤ値（ＰＤ＿ｔａｒｇｅｔ）に、この目標ＰＤ値（ＰＤ＿ｔａｒｇｅｔ）が光記録ヘッドＨを副走査方向Ｙに移動させて１枚のプレート４に記録する間、徐々に大きくなるように変化する傾き補正を傾き係数αにより行い、検出ＰＤ値（ＰＤ＿ｖａｌｕｅ）に基づく新ＬＤ値（ＬＤ#ｂ）を設定して、この新ＬＤ値（ＬＤ#ｂ）に基づきレーザドライブ電流値（ＬＤ＿ｓｅｔ）の補正を行い、検出デジタルＰＤ値（ＰＤ＿ａ）を、温度の傾き補正を加えた目標ＰＤ値（ＰＤ＿ｔａｒｇｅｔ）に近似させて記録濃度を一定に保持することができる。
【手続補正２７】
【補正対象書類名】明細書
【補正対象項目名】００９２
【補正方法】変更
【補正の内容】
【００９２】
上記した本発明の実施例では、ドラム５のブランクキング部分５Ａに光拡散手段としての光拡散部材５０を設けて光拡散部５Ｂを構成するようにしたが、図２１及び図２２に示すように、本発明に係る画像記録装置では、光拡散手段としての光拡散部材６０を用いて、この光拡散部材６０をヘッド本体１とドラム５と間にレーザビーム１２ｃに対して対峙するようにして介在させてもよい。
【手続補正２８】
【補正対象書類名】明細書
【補正対象項目名】００９４
【補正方法】変更
【補正の内容】
【００９４】
光拡散部材６０をヘッド本体１とドラム５と間にレーザビーム１２ｃに対して直交するようにして介在させる方法としては、図２１に示すように光拡散部材６０を、レーザビーム１２ｃに対して直交する方向に矢印のように直線移動させることで行うことができるし、また、図２２に示すように、支点Ｑに屈曲レバー６１の一端部を支承し、屈曲レバー６１の他端部に光拡散部材６０の上端部を固着して、屈曲レバー６１を支点Ｑを中心に回動させることで行うことができる。